(57)【要約】【課題】同一あるいは同機能商品の複数について、そのカラーバリエーションも確実に見せることのできる商品陳列用のフックを、簡単な構成によって提供すること。【解決手段】穴またはレール２０に取り付けられる取付基部１１と、この取付基部１１から商品陳列壁の前方に突出する本体ピン１２と、この本体ピン１２の片側だけに設けられて、本体ピン１２の突出方向と平行で、この本体ピン１２から所定間隔外側に位置し、かつ本体ピン１２の後方にて順次突出する少なくとも１本の補助ピン１３とを備えたこと。【選択図】図１
2014057827.tif 000002
【特許請求の範囲】
【請求項１】
商品陳列壁に設けられた穴またはレールに取り付けられて、複数の商品を陳列する商品陳列用のフックであって、
前記穴またはレールに取り付けられる取付基部と、この取付基部から前記商品陳列壁の前方に突出する本体ピンと、この本体ピンの片側だけに設けられて、前記本体ピンの突出方向と平行で、この本体ピンから所定間隔外側に位置し、かつ前記本体ピンの後方にて順次突出する少なくとも１本の補助ピンとを備えたことを特徴とするフック。
【請求項２】
商品陳列壁に設けられた穴またはレールに取り付けられて、複数の商品を陳列する商品陳列用のフックであって、
前記穴またはレールに取り付けられる取付基部と、この取付基部から前記商品陳列壁の前方に突出する本体ピンと、この本体ピンの両側に設けられて、前記本体ピンの突出方向と平行で、この本体ピンから所定間隔外側に位置し、かつ前記本体ピンの後方にて順次突出する少なくとも２本の補助ピンとを備えたことを特徴とするフック。
【請求項３】
前記各補助ピンは、これより前方に突出する前記本体ピンまたは前記補助ピンに対して、所定間隔外側にて突出することを特徴とする請求項１または２に記載のフック。
【請求項４】
前記取付基部に前記商品陳列壁と平行となる支持棒を取り付けて、この支持棒が前記商品陳列壁の表面、または前記レールに係止されることにより、前記本体ピンの、前記商品陳列壁に対する突出方向が一定に保たれるようにしたことを特徴とする請求項１〜３のいずれかに記載のフック。
【発明の詳細な説明】
【技術分野】
【０００１】
本発明は、商品を販売する目的で商品陳列壁に陳列するための、商品陳列用のフックに関するものである。
【背景技術】
【０００２】
この種の商品陳列用のフックは、商品陳列壁に設けられた穴あるいはレールに係止されて、複数の商品を係止して商品陳列壁の前方に並べた状態に吊下するものである。また、この種の商品陳列用のフックは、特許文献１及び特許文献２にも提案されているように、複数のピンを備えたものとすることによって、各ピンに商品もしくはその包装を順に係止して陳列を行うものである。
【先行技術文献】
【特許文献】
【０００３】
【特許文献１】特開平８−１９１７４２号公報、要約、代表図
【特許文献２】実用新案登録第３１６６１７６号公報
【発明の概要】
【発明が解決しようとする課題】
【０００４】
特許文献１にて提案されている「商品陳列ハンガー」は、「限られた領域内においてより多種の商品をその存在を明瞭にしつつ陳列することのできる商品陳列ハンガーを提供する」を目的としてなされたもので、図１２にも示すように、「水平方向に延在するアーム１の一端部には、その下面側に係止部２が設けられている。アーム１の他端部には、垂直下方に屈曲された垂設部３が設けられており、該垂設部３には回転体４が水平回転自在に支持されている。該回転体４は、中心部に設けられ前記垂設部３に遊嵌状態で保持されたカラー５と、該カラー５を中心として各々約９０°づつの間隔をもって放射方向へ十字状に突出する４枚の翼板６とで構成されている。各翼板６は、垂直方向に沿った同一方向側の側面７を各々有し、各側面７の長尺方向における中央部には、フック８が突設されている。該フック８は、水平状の主部９と該主部９の先端に設けられ斜め上方に屈曲された脱落防止部１０とから構成されている」という構成を有したものである。
【０００５】
この特許文献１の「商品陳列ハンガー」は、「限られた領域内においてより多種の商品をその存在を明瞭にしつつ陳列することのできる」ものと考えられるが、「４枚の翼板６」がカラー５を中心として各々約９０°づつの間隔をもって放射方向へ十字状に突出するものであるから、商品の陳列空間が多く必要となっている。それだけでなく、消費者側にきた商品は、その後ろの商品を隠す場合があり、商品選択の邪魔になることがあり得る。
【０００６】
一方、特許文献２にて提案されている「商品陳列用掛け具」は、「フックの無い商品の掛け吊り下げに適し、前後に並べて吊り下げた複数の商品の中から所望の商品だけを簡単に取り出すことができる商品陳列用掛け具を提供すること」を目的としてなされたもので、図１３に示すように、「商品陳列棚等の取り付け個所に掛止させる取り付け部４から前方に向けてメインバー２が突出し、メインバー２の長さ方向の所定間隔を設けた複数個所の下部から下方に向けて、小物の商品を掛け吊り下げる掛け部６フック１０を有する側面視において略Ｌ字形状のＬ型バー６が、開放端部６取付基部１１を前方に向けた姿勢で、夫々設けられている」という構成を有したものである。
【０００７】
この特許文献２の「商品陳列用掛け具」は、「前後に並べて吊り下げた複数の商品の中から所望の商品だけを簡単に取り出すことができる」ものと考えられるが、消費者がこの「商品陳列用掛け具」の前に立った場合、後ろ側の商品は殆ど見えないことがあり得る。
【０００８】
要するに、特許文献１の「商品陳列ハンガー」も、特許文献２の「商品陳列用掛け具」も、消費者の立ち位置からみて後ろ側になる商品のことを考慮していないのであるが、本発明者等は、同一商品について多数のカラーバリエーションを展開する場合に、消費者の立ち位置からみて後ろ側になる商品の展示に重大な問題が発生することに気付いたのである。
【０００９】
本発明者等は、例えば図２に示す「お玉」のような台所用品について、「柄」の部分のカラーバリエーションを多くし、同様に、台所用品の一種である「フライ返し」の「柄」についても、カラーバリエーションを多くした商品企画を行った。消費者に、自分の好みに合ったカラーの台所用品を揃えてもらうことを狙ったのであるが、消費者に揃えてもらった台所用品は、統一されたカラーのものである場合もあるだろうし、カラフルにしたものである場合もあるだろう。
【００１０】
このような商品展開をした場合、当然、消費者にとって「柄」のカラーが何であるかが商品選択の根拠となり、そのような選択が行い易くなるような商品陳列が必要になってくる。その場合に、上記特許文献１や２におけるように、消費者が今見ている商品のカラーが気に入らないものであり、その後ろに希望するカラーの商品が隠れていたとすると、消費者はこれに気付かず立ち去ってしまう虞が十分にあって、カラーバリエーションを多くした商品企画を行った意味がなくなる。
【００１１】
そこで、本発明者等は、カラーバリエーションが豊富な同一あるいは同機能商品の複数を効果的に陳列するにはどうしたらよいか、について種々検討を重ねてきた結果、本発明を完成したのである。
【００１２】
すなわち、本発明の目的とするところは、同一あるいは同機能商品の複数について、そのカラーバリエーションも確実に見せることのできる商品陳列用のフックを、簡単な構成によって提供することにある。
【課題を解決するための手段】
【００１３】
以上の課題を解決するために、まず、請求項１に係る発明の採った手段は、後述する実施形態の説明中で使用する符号を付して説明すると、
「商品陳列壁に設けられた穴またはレール２０に取り付けられて、複数の商品３０を陳列する商品陳列用のフック１０であって、
穴またはレール２０に取り付けられる取付基部１１と、この取付基部１１から商品陳列壁の前方に突出する本体ピン１２と、この本体ピン１２の片側だけに設けられて、本体ピン１２の突出方向と平行で、この本体ピン１２から所定間隔外側に位置し、かつ本体ピン１２の後方にて順次突出する少なくとも１本の補助ピン１３とを備えたことを特徴とするフック１０」
である。
【００１４】
すなわち、この請求項１に係る商品陳列用のフック１０は、穴またはレール２０に取り付けられる取付基部１１と、この取付基部１１から商品陳列壁の前方に突出する本体ピン１２と、この本体ピン１２の片側だけに設けられて、本体ピン１２の突出方向と平行で、この本体ピン１２から所定間隔外側に位置し、かつ本体ピン１２の後方にて順次突出する少なくとも１本の補助ピン１３とを備えたものである。
【００１５】
取付基部１１は、図２や図６に示すように、当該フック１０を商品陳列壁に形成してある穴またはレール２０に取り付けるためのものであり、後述する実施形態では、穴またはレール２０が「レール」である場合に適応させた、断面形状を「Ｌ型」に折り曲げた板材である。換言すれば、当該フック１０を商品陳列壁に取り付けるための取付基部１１は、商品陳列壁に形成してある取付箇所が「穴」であれば、例えば「クランク」型に折り曲げた線材のままとなるものであり、商品陳列壁に形成してある取付箇所の状況に合わせて設計されるものである。
【００１６】
以上の取付基部１１には、図１、図５、図８、または図１１に示すように、直線状となっている本体ピン１２の基部が取り付けられるのであるが、この本体ピン１２は、先端が商品陳列壁の前方に突出することになるものである。特に、この取付基部１１の先端には、係止した商品３０の、当該本体ピン１２からの抜け止めを行う抜止部１５が折曲形成してある。以上のことからすると、この本体ピン１２は、特許文献２中で述べられている「メインバー２」（図１３参照）と同等なものである。
【００１７】
そして、この本体ピン１２の片側には、少なくとも１本の第１補助ピン１３が設けてある。この第１補助ピン１３は、図１の（ａ）、図５または図８に示すように、本体ピン１２の突出方向と平行で、この本体ピン１２から所定間隔外側に位置し、かつ本体ピン１２の後方にて順次前方に突出するものである。後述する実施形態に係るフック１０では、この第１補助ピン１３は棒材をクランク上に折り曲げたものであり、その中間部を構成している連結アーム１３ａによって、「所定間隔」が決定されている。そして、この第１補助ピン１３は、その本体ピン１２と平行に突出する部分の先端に抜止部１５を形成したものであり、この抜止部１５とは反対側の基端部にて本体ピン１２の一部に固定したものである。
【００１８】
この第１補助ピン１３が「本体ピン１２の後方にて順次突出する」とは、まず、この第１補助ピン１３が１本の場合、図１の（ａ）に示すように、取付基部１１の先端に設けた抜止部１５を基準にすると、第１補助ピン１３の先端に設けた抜止部１５が取付基部１１側の抜止部１５より後退した位置にあることを意味する。一方、補助ピンが、第１補助ピン１３及び第２補助ピン１４の複数種類である場合には、１番目の第１補助ピン１３の抜止部１５が取付基部１１側の抜止部１５より後退した位置にあることは当然として、１番目の第１補助ピン１３の抜止部１５に対して、次の第２補助ピン１４の抜止部１５が後退した位置にあることを意味している。以下同様である。
【００１９】
さて、請求項１に係るフック１０が上述したようなものであると、商品３０の複数が、本体ピン１２及び少なくとも１本の第１補助ピン１３に掛けることができるが、その際の状態を消費者側に立って見てみると、図２及び図３に示すようになる。図２は、フック１０に掛けられた複数の商品３０を正面から見た状態であるが、各商品３０の上部（後述する実施形態では、台所用品の柄３１となっている）が、本体ピン１２、第１補助ピン１３、及び第２補助ピン１４毎に「ズレ」て見える。
【００２０】
各商品３０の柄３１が、本体ピン１２、第１補助ピン１３、及び第２補助ピン１４毎に「ズレ」て見えるということは、これに異なるカラーが付してあると、希望するカラーの柄３１が存在しているか否かは勿論、それがどこにあるかも一目瞭然に分かることになる。このことは、図２の正面から見た場合は勿論、目の位置を少し移動させた図３の場合でも同様に言えることである。
【００２１】
また、第１補助ピン１３、及び第２補助ピン１４の突出方向が、本体ピン１２と平行、つまり前方に突出していることによって、必要な商品３０は、そのピンから手前に引き抜くことにより、簡単に外せるのであり、例えば特許文献２のもののように、取り出しに邪魔になる他の商品が存在する可能性が高い横方向への取り出しは行わなくともよいものになっているのである。
【００２２】
特に、この請求項１のフック１０では、少なくとも１つの第１補助ピン１３を本体ピン１２の片側にだけ設けてあるから、これに係止された複数の商品３０は、図４に示すように、本体ピン１２の片側に集中し、他の側は空いた状態になる。従って、この空いた部分に、複数の商品３０を係止した別のフック１０を近接させることができるのであり、商品陳列壁表面上の陳列スペースを有効に利用できることになるのである。
【００２３】
従って、この請求項１に係るフック１０は、同一あるいは同機能商品３０の複数を商品陳列壁上に陳列することができることは当然として、これら複数の商品３０について、そのカラーバリエーションを確実に見せることができるものとなっているのである。
【００２４】
上記課題を解決するために、請求項２に係る発明の採った手段は、同様に、
「商品陳列壁に設けられた穴またはレール２０に取り付けられて、複数の商品３０を陳列する商品陳列用のフック１０であって、
穴またはレール２０に取り付けられる取付基部１１と、この取付基部１１から商品陳列壁の前方に突出する本体ピン１２と、この本体ピン１２の両側に設けられて、本体ピン１２の突出方向と平行で、この本体ピン１２から所定間隔外側に位置し、かつ本体ピン１２の後方にて順次突出する少なくとも２本の補助ピン１３とを備えたことを特徴とするフック１０」
である。
【００２５】
この請求項２に係るフック１０の構成は、各第１補助ピン１３や第２補助ピン１４が本体ピン１２の両側に設けられている点、及び補助ピン１３等を少なくとも２本用いている点を除いて、上述した請求項１のそれと同じである。このため、この請求項２に係るフック１０を示す図５〜図７中に、上記請求項１で説明した部材と同じ符号を付することによって、各構成部材の説明は省略する。
【００２６】
この請求項２に係るフック１０では、図５または図１１に示すように、各第１補助ピン１３や第２補助ピン１４が本体ピン１２の両側に設けられている点が、上述した請求項１のそれと異なる点であったが、これにより、少なくとも２本の補助ピン１３が用いられ、当該フック１０に吊下されるべき商品３０の数が格段に増加することは言うまでもない。
【００２７】
また、各第１補助ピン１３や第２補助ピン１４について、図５〜図７で示す実施形態では、本体ピン１２に対して同一位置に設けた例が示してあるが、本体ピン１２の突出方向と平行で、この本体ピン１２から所定間隔外側に位置し、かつ本体ピン１２の後方にて順次突出するという条件を満足するのであれば、多少位置をズラせてもよいものである。
【００２８】
さて、請求項２に係るフック１０が上述したようなものであると、商品３０の複数が、本体ピン１２及び少なくとも２本の第１補助ピン１３に掛けることができるが、その際の状態を消費者側に立って見てみると、図６及び図７に示すようになる。図６は、フック１０に掛けられた複数の商品３０を正面から見た状態であるが、各商品３０の上部（後述する実施形態では、台所用品の柄３１となっている）が、本体ピン１２、第１補助ピン１３、及び第２補助ピン１４毎に「ズレ」て見える。
【００２９】
各商品３０の柄３１が、本体ピン１２、第１補助ピン１３、及び第２補助ピン１４毎に「ズレ」て見えるということは、これに異なるカラーが付してあると、希望するカラーの柄３１が存在しているか否かは勿論、それがどこにあるかも一目瞭然に分かることになる。このことは、図６の正面から見た場合は勿論、目の位置を少し移動させた図７の場合でも同様に言えることである。
【００３０】
従って、この請求項２に係るフック１０も、同一あるいは同機能商品３０の複数を商品陳列壁上に陳列することができることは当然として、これら複数の商品３０について、そのカラーバリエーションを確実に見せることができるものとなっているのである。
【００３１】
上記課題を解決するために、請求項３に係る発明の採った手段は、上記請求項１または２に記載のフック１０について、
「各補助ピン１３〜１４は、これより前方に突出する本体ピン１２または補助ピン１３に対して、所定間隔外側にて突出すること」
である。
【００３２】
この請求項３に係るフック１０では、後述する実施形態で説明すると、第１補助ピン１３は本体ピン１２より後方でかつ所定間隔外側にて突出し、第２補助ピン１４は第２補助ピン１４より後方でかつ所定間隔外側にて突出しているものである。換言すれば、本体ピン１２、第１補助ピン１３及び第２補助ピン１４の先端にそれぞれ形成してある抜止部１５を結んだ線は、本体ピン１２が形成する直線に対して傾斜した状態にあることを意味するのである。
【００３３】
さて、請求項３に係るフック１０が上述したようなものであると、商品３０の複数が、本体ピン１２及び少なくとも１本の第１補助ピン１３に掛けることができるが、その際の状態を消費者側に立って見てみると、図２、図３、図６及び図７に示すようになる。いずれの場合も、各補助ピン１３〜１４は、これより前方に突出する本体ピン１２または補助ピン１３に対して、所定間隔外側にて突出しているのであるから、各商品３０の上部（後述する実施形態では、台所用品の柄３１となっている）が、本体ピン１２及び第１補助ピン１３毎にほぼ均等に「ズレ」て整列した状態に見える。
【００３４】
各商品３０の柄３１が、本体ピン１２及び第１補助ピン１３毎にほぼ均等に「ズレ」て整列した状態に見えるということは、これに異なるカラーが付してあると、希望するカラーの柄３１が存在しているか否かは勿論、どこにあるかも一目瞭然に分かることになる。
【００３５】
従って、この請求項３に係るフック１０も、同一あるいは同機能商品３０の複数を商品陳列壁上に陳列することができることは当然として、これら複数の商品３０について、そのカラーバリエーションをほぼ均等に「ズレ」て整列した状態に見せることができるものとなっているのである。
【００３６】
上記課題を解決するために、請求項４に係る発明の採った手段は、上記請求項１〜３のいずれかに記載のフック１０について、
「取付基部１１に商品陳列壁と平行となる支持棒１６を取り付けて、この支持棒１６が商品陳列壁の表面、またはレール２０に係止されることにより、本体ピン１２の、商品陳列壁に対する突出方向が一定に保たれるようにしたこと」
である。
【００３７】
この請求項４に係るフック１０では、図１または図５に示すように、取付基部１１に商品陳列壁と平行となる支持棒１６を取り付けたものである。この支持棒１６は、当該フック１０をその取付基部１１にて商品陳列壁の表面、またはレール２０に係止したとき、商品陳列壁の表面、またはレール２０に平行に当接することになるものである。
【００３８】
当該フック１０がその取付基部１１にて商品陳列壁の表面、またはレール２０に係止されたとき、支持棒１６が、商品陳列壁の表面、またはレール２０に平行に当接すれば、本体ピン１２の突出方向が商品陳列壁の表面方向、またはレール２０の長手方向に対して、ほぼ直角、つまり、商品陳列壁に対する突出方向が一定となるのである。
【００３９】
換言すれば、図１に示すフック１０も、図５に示すフック１０も、これに掛けられる全商品３０の重心が本体ピン１２の直下になることは少ないのであるが、全商品３０の重心が本体ピン１２の直下からズレたとしても、当該フック１０は、穴またはレール２０に当接または係止している支持棒１６によって商品陳列壁にしっかりと支えられているから、各商品３０を商品陳列壁に対して確実に支えるのである。
【００４０】
従って、この請求項４に係るフック１０は、上記請求項１〜３のそれと同様な機能を発揮する他、各商品３０を商品陳列壁に対して確実に支えるのである。
【発明の効果】
【００４１】
以上、詳述した通り、本発明においては、
「商品陳列壁に設けられた穴またはレール２０に取り付けられて、複数の商品３０を陳列する商品陳列用のフック１０であって、
穴またはレール２０に取り付けられる取付基部１１と、この取付基部１１から商品陳列壁の前方に突出する本体ピン１２と、この本体ピン１２の片側だけに設けられて、本体ピン１２の突出方向と平行で、この本体ピン１２から所定間隔外側に位置し、かつ本体ピン１２の後方にて順次突出する少なくとも１本の補助ピン１３とを備えたこと」
あるいは、
「商品陳列壁に設けられた穴またはレール２０に取り付けられて、複数の商品３０を陳列する商品陳列用のフック１０であって、
穴またはレール２０に取り付けられる取付基部１１と、この取付基部１１から商品陳列壁の前方に突出する本体ピン１２と、この本体ピン１２の両側に設けられて、本体ピン１２の突出方向と平行で、この本体ピン１２から所定間隔外側に位置し、かつ本体ピン１２の後方にて順次突出する少なくとも２本の補助ピン１３・１４とを備えたこと」
にその構成上の主たる特徴があり、これにより、同一あるいは同機能商品３０の複数について、そのカラーバリエーションも確実に見せることのできる商品陳列用のフック１０を、簡単な構成によって提供することができるのである。
【００４２】
また、本発明によれば、商品３０が、後述する実施形態におけるような、「柄」についてのカラーバリエーションを多くした台所用品の「お玉」や「フライ返し」の場合に限らず、
イ．工業部品のネジ、ボルトあるいはナットのように、色は同じでも、大きさ等の種類の多い商品
ロ．アパレル商品のハンカチーフや、フェイスタオル等のように、カラーバリエーションやデザイン等の種類の多い商品
の陳列についても、上述したのと同様な効果を発揮することができるものである。
【図面の簡単な説明】
【００４３】
【図１】本発明の第１実施例に係るフック１０を示すもので、（ａ）は平面図、（ｂ）は側面図である。
【図２】同フック１０に掛けた各商品３０の状態を示すフック１０の正面図である。
【図３】同フック１０に掛けた各商品３０の状態を示すフック１０の斜視図である。
【図４】同フック１０の複数を近接して設置した状態を示す平面図である。
【図５】本発明の第２実施例に係るフック１０を示すもので、（ａ）は平面図、（ｂ）は側面図である。
【図６】同フック１０に掛けた各商品３０の状態を示すフック１０の正面図である。
【図７】同フック１０に掛けた各商品３０の状態を示すフック１０の斜視図である。
【図８】本発明の第３実施例に係るフック１０を示す斜視図である。
【図９】同第３実施例に係るフック１０を示すもので、（ａ）は平面図、（ｂ）は側面図である。
【図１０】同フック１０の取付基部１１を拡大して示すもので、（ａ）は角型の場合の側面図、（ｂ）は丸型の場合の側面図である。
【図１１】本発明の第４実施例に係るフック１０を示す斜視図である。
【図１２】特許文献１に示された技術を示す斜視図である。
【図１３】特許文献２に示された技術を示す斜視図（ａ）と側面図（ｂ）である。
【発明を実施するための形態】
【００４４】
以上のように構成した各請求項に係る発明を、図面に示した実施の形態であるフック１０について説明するが、このフック１０は、図１〜図４に示した第１実施例と、図５〜図７に示した第２実施例と、図８〜図１０に示した第３実施例と、図１１に示した第４実施例とがあるので、以下では、各実施例毎に説明していく。
【００４５】
本発明に係るフック１０を説明する前に、まず、当該フック１０が係止される穴またはレール２０について説明すると、この穴またはレール２０は、商品陳列壁に形成された、あるいは設けられた、文字通りの「穴」もしくは「レール」である。また、商品陳列壁が単なる「ボード」であれば、「穴」は文字通りの穴であるが、商品陳列壁が金属線材を使用して形成された「網」であれば、「穴」は「網目」ということになる。一方、「レール」は、この種のフック１０を係止するために形成された文字通りのレールであってもよいが、商品陳列壁が金属線材を使用して形成された「網」であれば、「複数の線材が重なった部分」となることもある。いずれにしても、この穴またはレール２０は、種々な態様のものが対象となる。
【００４６】
また、本発明に係るフック１０に係止あるいは吊下される商品３０について説明すると、例えば図２及び図６には、商品３０として、台所用品の１つである「お玉」が示してある。この「お玉」については、「柄３１」の部分のカラーバリエーションを多くしてあり、図２及び図６に示した商品３０では、この柄３１部分の色が異なることを、異なるハッチングまたは模様で示してある。なお、この商品３０では、その柄３１を包装から露出させてあり、この柄３１の上端部に、フック１０の各抜止部１５に通せるようにした穴が形成してある。
【００４７】
勿論、この商品３０としては、他に台所用品である「フライ返し」、「ヘラ」、「包丁」、「ピーラー」、「しゃもじ」等の「柄」を有するものが適用され、各々の「柄」についても、カラーバリエーションを多くしたものが採用される。これにより、消費者は、自分の好みに合ったカラーの「柄」を有する台所用品を揃えることができるのであるが、消費者に揃えてもらった台所用品の「柄」は、統一されたカラーものである場合もあるだろうし、カラフルにしたものである場合もあるだろう。なお、カラーバリエーションを「柄」において多くするだけでなく、商品３０の他の部分において多くできることは言うまでもない。
【００４８】
（第１実施例）
図１には、本発明の第１実施例に係るフック１０の平面図と側面図とが示してあるが、この第１実施例に係るフック１０は、穴またはレール２０に取り付けられる取付基部１１と、この取付基部１１から商品陳列壁の前方に突出する本体ピン１２と、この本体ピン１２の片側だけに設けられて、本体ピン１２の突出方向と平行で、この本体ピン１２から所定間隔外側に位置し、かつ本体ピン１２の後方にて順次突出する少なくとも１本の補助ピン１３とを備えたものである。
【００４９】
取付基部１１は、図２に示したように、当該フック１０を商品陳列壁に形成してある穴またはレール２０に取り付けるためのものであり、後述する実施形態では、穴またはレール２０が「レール」である場合に適応させた、断面形状を「Ｌ型」に折り曲げた板材である。換言すれば、当該フック１０を商品陳列壁に取り付けるための取付基部１１は、商品陳列壁に形成してある取付箇所が「穴」であれば、例えば「クランク」型に折り曲げた線材のままとなるものであり、商品陳列壁に形成してある取付箇所の状況に合わせて設計されるものである。
【００５０】
以上の取付基部１１には、図２等に示したように、直線状となっている本体ピン１２の基部が取り付けられるのであるが、この本体ピン１２は、先端が商品陳列壁の前方に突出することになるものである。特に、この本体ピン１２の先端には、係止した商品３０の、当該本体ピン１２からの抜け止めを行う抜止部１５が折曲形成してある。
【００５１】
そして、この本体ピン１２の片側には、第１補助ピン１３及び連結アーム１３ａが設けてある。この第１補助ピン１３は、図１の（ａ）に示したように、本体ピン１２の突出方向と平行で、この本体ピン１２から所定間隔外側に位置し、かつ本体ピン１２の後方にて順次突出するものである。本第１実施例に係るフック１０では、この第１補助ピン１３は棒材をクランク上に折り曲げたものであり、その中間部を構成している連結アーム１３ａによって、「所定間隔」が決定してある。そして、この第１補助ピン１３は、その本体ピン１２と平行に突出する部分の先端に抜止部１５を形成したものであり、この抜止部１５とは反対側の基端部にて本体ピン１２の一部に、溶接等の手段によって固定したものである。
【００５２】
この第１実施例では、１本の第１補助ピン１３が、図１の（ａ）に示したように、取付基部１１の先端に設けた抜止部１５を基準にすると、第１補助ピン１３の先端に設けた抜止部１５が取付基部１１側の抜止部１５より後退した位置となるように固定してある。一方、この第１補助ピン１３の後ろ側には、第１補助ピン１３の抜止部１５に対して次の抜止部１５が後退した位置になるように、先端に抜止部１５を形成した第２補助ピン１４が配置してあり、この第２補助ピン１４の基端部は取付基部１１及び本体ピン１２に固定してある。
【００５３】
この第２補助ピン１４は、上述した第１補助ピン１３と同様に、棒材をクランク上に折り曲げたものであり、その中間部を構成している連結アーム１４ａによって、上述した第１補助ピン１３に対しての「所定間隔」を決定するようにしている。
【００５４】
換言すれば、第１補助ピン１３の連結アーム１３ａも、第２補助ピン１４の連結アーム１４ａも、本体ピン１２に対して直角に外側に延びるものであり、その各長さは、商品３０の大きさに応じて決定されるものである。なお、本実施形態では、第２補助ピン１４の連結アーム１４ａの長さを、第１補助ピン１３の連結アーム１３ａの長さの２倍としてある。
【００５５】
なお、商品３０によっては、各補助ピン１３・１４に係止すべき「穴」が大きくて、各補助ピン１３・１４に係止した後に連結アーム１３ａ・１４ａ側に移動してしまうものがある。そのような場合に、図１や図５中の仮想線にて示したようなストッパ１７を、各補助ピン１３・１４の連結アーム１３ａ・１４ａとの境界部分に介装しておくことがなされる。
【００５６】
ストッパ１７は、商品３０の各連結アーム１３ａ・１４ａ側への移動を阻止するものであり、例えば、各連結アーム１３ａ・１４ａを構成している線材の直径と同じ程度の穴を有する「ワッシャ」のようなものであれば十分である。勿論、このようなストッパ１７は、各補助ピン１３・１４に対して自由に抜き差しできるものでも、あるいは溶着して一体化したものであってもよい。
【００５７】
（第２実施例）
図５〜図７に示した第２実施例のフック１０は、穴またはレール２０に取り付けられる取付基部１１と、この取付基部１１から商品陳列壁の前方に突出する本体ピン１２と、この本体ピン１２の両側に設けられて、本体ピン１２の突出方向と平行で、この本体ピン１２から所定間隔外側に位置し、かつ本体ピン１２の後方にて順次突出する少なくとも２本の補助ピン１３・１４とを備えたものである。
【００５８】
つまり、この第２実施例に係るフック１０は、上記第１実施例のそれと基本的には同じであるが、本体ピン１２の後方にて順次突出する少なくとも２本の補助ピン１３・１４が、本体ピン１２の両側に設けられていることが上記第１実施例のフック１０と異なる点である。
【００５９】
各第１補助ピン１３や第２補助ピン１４については、図５〜図７で示したように、本体ピン１２に対してそれぞれ同一位置で左右に設けてあるが、本体ピン１２の突出方向と平行で、この本体ピン１２から所定間隔外側に位置し、かつ本体ピン１２の後方にて順次突出するという条件を満足するのであれば、多少前後位置をズラせてもよいものである。勿論、第１補助ピン１３の連結アーム１３ａも、第２補助ピン１４の連結アーム１４ａも、本体ピン１２に対して直角に外側に延びるものであり、その各長さは、商品３０の大きさに応じて決定されるものであり、第２補助ピン１４の連結アーム１４ａの長さを、第１補助ピン１３の連結アーム１３ａの長さの２倍としてあることは、上記第１実施例の場合と同様である。
【００６０】
（第３実施例）
図８〜図１０には、本発明の第３実施例に係るフック１０が示してあるが、この第３実施例に係るフック１０は、穴またはレール２０に取り付けられる取付基部１１と、この取付基部１１から商品陳列壁の前方に突出する本体ピン１２と、この本体ピン１２の片側だけに設けられて、本体ピン１２の突出方向と平行で、この本体ピン１２から所定間隔外側に位置し、かつ本体ピン１２の後方にて順次突出する少なくとも１本の補助ピン１３とを備えたものである。
【００６１】
取付基部１１は、当該フック１０を商品陳列壁に形成してある穴またはレール２０に取り付けるためのものであり、図８に示したように、金属線材を折り曲げて形成したものである。そして、この取付基部１１は、図９の（ａ）及び（ｂ）に示したように、横方向に位置することになる基部と、この基部の両側に一体的に折り曲げ加工される掛止部１１ａとからなっているものである。
【００６２】
この取付基部１１の各掛止部１１ａは、図１０の（ａ）または（ｂ）に示したように、穴またはレール２０の形状に適応させるべく、側面の上部形状を「角型」（図１０の（ａ）の場合）、または「丸型」（図１０の（ｂ）の場合）に折り曲げたものであり、下方を開放状態にしたものである。
【００６３】
換言すれば、当該取付基部１１は、折り曲げた線材や直線状の線材を組み合わせて形成したものであって、その下方開放部にてレール２０に差し込まれ、上端の掛止部１１ａにてレール２０上に係止されるものである。勿論、この取付基部１１は、線材によって構成したから、製造が容易であるだけでなく、フック１０全体の重量軽減にも大きく貢献するのである。
【００６４】
以上の取付基部１１には、図８及び図９に示したように、直線状となっている本体ピン１２の基部が取り付けられるのであるが、この本体ピン１２は、当該取付基部１１の一方に片寄った状態で取り付けられ、先端が商品陳列壁の前方に突出することになるものである。特に、この本体ピン１２の先端には、係止した商品３０の、当該本体ピン１２からの抜け止めを行う抜止部１５が折曲形成してあり、この抜止部１５の直ぐ内側部分には、当該フック１０を穴またはレール２０に係止したとき、僅かに下方に下がる段差部１２ａが折曲形成してある。
【００６５】
この本体ピン１２の、抜止部１５の直ぐ内側に形成した段差部１２ａは、ここに係止した商品３０が奥へ入り込まないようにするとともに、他の第１補助ピン１３等の商品３０との干渉を少なくするようにするものである。
【００６６】
そして、この本体ピン１２の片側には、図８及び図９に示したように、第１補助ピン１３及び連結アーム１３ａが設けてある。この第１補助ピン１３は、図１の（ａ）に示したように、本体ピン１２の突出方向と平行で、この本体ピン１２から所定間隔外側に位置し、かつ本体ピン１２の後方にて順次突出するものである。
【００６７】
この第１補助ピン１３は、棒材をクランク上に折り曲げたものであり、その中間部を構成している連結アーム１３ａによって、「所定間隔」が決定してある。また、この第１補助ピン１３は、その本体ピン１２と平行に突出する部分の先端に抜止部１５を形成したものであり、この抜止部１５とは反対側の基端部にて本体ピン１２の一部に、溶接等の手段によって固定したものである。さらに、この第１補助ピン１３には、その抜止部１５の直ぐ内側部分には、当該フック１０を穴またはレール２０に係止したとき、僅かに下方に下がる段差部１３ｂが折曲形成してある。
【００６８】
この第１補助ピン１３の、抜止部１５の直ぐ内側に形成した段差部１３ｂは、上述した本体ピン１２側の段差部１２ａのように、ここに係止した商品３０が奥へ入り込まないようにするとともに、本体ピン１２等の商品３０との干渉を少なくするようにするものである。
【００６９】
この第３実施例では、１本の第１補助ピン１３が、図１の（ａ）に示したように、取付基部１１の先端に設けた抜止部１５を基準にすると、第１補助ピン１３の先端に設けた抜止部１５が取付基部１１側の抜止部１５より後退した位置となるように固定してある。一方、この第１補助ピン１３の後ろ側には、第１補助ピン１３の抜止部１５に対して次の抜止部１５が後退した位置になるように、先端に抜止部１５を形成した第２補助ピン１４が配置してあり、この第２補助ピン１４の基端部は取付基部１１及び本体ピン１２に固定してある。
【００７０】
この第２補助ピン１４は、上述した第１補助ピン１３と同様に、棒材をクランク上に折り曲げたものであり、その中間部を構成している連結アーム１４ａによって、上述した第１補助ピン１３に対しての「所定間隔」を決定するようにしている。また、この第２補助ピン１４の、抜止部１５の直ぐ内側には段差部１４ｂが形成してある。この段差部１４ｂは、上述した本体ピン１２側の段差部１２ａのように、ここに係止した商品３０が奥へ入り込まないようにするとともに、本体ピン１２等の商品３０との干渉を少なくするようにするものである。
【００７１】
以上のように、各本体ピン１２、第１補助ピン１３、及び第２補助ピン１４の、各抜止部１５の直ぐ内側に設けた、各段差部１２ａ、段差部１３ｂ、及び段差部１４ｂは、図９の（ｂ）に示したように、それぞれ均等の長さで当該フック１０の前後方向に分散して位置している。このため、これらの段差部１２ａ、段差部１３ｂ、及び段差部１４ｂは、これにそれぞれ係止した商品３０を、それ以上の奥や前等、他の部分へ入り込まないようにするとともに、他の段差部１２ａ、段差部１３ｂ、及び段差部１４ｂに係止してある商品３０との干渉を防止しているのである。
【００７２】
なお、第１補助ピン１３の連結アーム１３ａも、第２補助ピン１４の連結アーム１４ａも、本体ピン１２に対して直角に外側に延びるものであり、その各長さは、商品３０の大きさに応じて決定されるものである。また、本実施形態では、第２補助ピン１４の連結アーム１４ａの長さを、第１補助ピン１３の連結アーム１３ａの長さの２倍としてある。
【００７３】
（第４実施例）
図１１には、第４実施例のフック１０が示してあるが、このフック１０も、穴またはレール２０に取り付けられる取付基部１１と、この取付基部１１から商品陳列壁の前方に突出する本体ピン１２と、この本体ピン１２の両側に設けられて、本体ピン１２の突出方向と平行で、この本体ピン１２から所定間隔外側に位置し、かつ本体ピン１２の後方にて順次突出する少なくとも２本の補助ピン１３・１４とを備えたものである。
【００７４】
つまり、この第４実施例に係るフック１０は、上記第２実施例のそれと基本的には同じであり、本体ピン１２の後方にて順次突出する少なくとも２本の補助ピン１３・１４が、本体ピン１２の両側に設けられているものである。そして、各本体ピン１２、第１補助ピン１３、及び第２補助ピン１４の、各抜止部１５の直ぐ内側に、段差部１２ａ、段差部１３ｂ、及び段差部１４ｂをそれぞれ設けたことも、上記第３実施例と同じである。
【符号の説明】
【００７５】
１０    フック
１１    取付基部
１１ａ  掛止部
１２    本体ピン
１２ａ  段差部
１３    第１補助ピン
１３ａ  連結アーム
１３ｂ  段差部
１４    第２補助ピン
１４ａ  連結アーム
１４ｂ  段差部
１５    抜止部
１６    支持棒
１７    ストッパ
２０    穴またはレール
３０    商品
３１    柄
【図１】
2014057827.tif 000003
【図２】
2014057827.tif 000004
【図３】
2014057827.tif 000005
【図４】
2014057827.tif 000006
【図５】
2014057827.tif 000007
【図６】
2014057827.tif 000008
【図７】
2014057827.tif 000009
【図８】
2014057827.tif 000010
【図９】
2014057827.tif 000011
【図１０】
2014057827.tif 000012
【図１１】
2014057827.tif 000013
【図１２】
2014057827.tif 000014
【図１３】
2014057827.tif 000015